(57)【要約】【課題】  立体形状の遊戯具に文字や絵柄を描くことができるため、床に載置して使用する描画具では成しえない遊戯性を備え、永続して使用できると共に、幼児の創造性を育むことができる組み立て式遊戯具を提供する。【解決手段】  支持体上に、低屈折率顔料をバインダー樹脂に分散状態に固着させた吸液状態と非吸液状態で透明性を異にする多孔質層を設けた変色部材２と、複数の棒状部材３と、複数のジョイント部材４とからなる組み立て式遊戯具１、及び、組み立て式遊戯具と水付着手段とからなる組み立て式遊戯具セット。【選択図】  図１
2005152491.tif 000002
【特許請求の範囲】
【請求項１】
複数の棒状部材をジョイント部材を介して連結可能に構成した組み立て式遊戯具において、支持体上に、低屈折率顔料をバインダー樹脂に分散状態に固着させた吸液状態と非吸液状態で透明性を異にする多孔質層を設けた変色部材を設けてなることを特徴とする組み立て式遊戯具。
【請求項２】
前記変色部材の支持体が棒状部材及び／又はジョイント部材に固定可能に構成されてなる請求項１記載の組み立て式遊戯具。
【請求項３】
前記変色部材の支持体が、棒状部材とジョイント部材により形成される枠面に着脱自在に構成されてなる請求項２記載の組み立て式遊戯具。
【請求項４】
前記変色部材の支持体が棒状部材及び／又はジョイント部材と一体化されてなる請求項１記載の組み立て式遊戯具。
【請求項５】
前記変色部材の支持体が布帛である請求項２乃至４のいずれかに記載の組み立て式遊戯具。
【請求項６】
前記変色部材の支持体がプラスチックである請求項２乃至４のいずれかに記載の組み立て式遊戯具。
【請求項７】
請求項１乃至５のいずれかの組み立て式遊戯具と、水付着手段とからなる組み立て式遊戯具セット。
【請求項８】
前記水付着手段は、連続気孔を有するプラスチック多孔体又は繊維加工体をペン先部材として適用した筆記具又は塗布具、或いは、スタンプ具の何れかより選ばれる請求項７記載の組み立て式遊戯具セット。
【発明の詳細な説明】
【技術分野】
【０００１】
本発明は、幼児が室内等で遊ぶための組み立て式遊戯具に関するものである。
【背景技術】
【０００２】
従来より、幼児が遊戯するための組み立て式遊戯具としては、複数のパイプを種々のジョイント部材で連結した立体形状のジャングルジムが開示されている（例えば、特許文献１参照）。
【特許文献１】実開昭５４−８９９６０号公報
【発明の開示】
【発明が解決しようとする課題】
【０００３】
前記ジャングルジムは幼児が登ったり、内部に入って遊戯するものであるが、それ以外には使用できず、飽きのくることがあった。
また、一度組み立てたらその状態で室内に放置されることが多く、再度別の形態に組み立てて実用に供する要素に乏しいものであった。
【課題を解決するための手段】
【０００４】
本発明は、複数の棒状部材をジョイント部材を介して連結可能に構成した組み立て式遊戯具において、支持体上に、低屈折率顔料をバインダー樹脂に分散状態に固着させた吸液状態と非吸液状態で透明性を異にする多孔質層を設けた変色部材を設けてなる組み立て式遊戯具を要件とする。
更には、前記変色部材の支持体が棒状部材及び／又はジョイント部材に固定されてなること、前記変色部材が、棒状部材とジョイント部材により形成される枠面に着脱自在に構成されてなること、変色部材の支持体が布帛であること、前記変色部材の支持体がプラスチックであること等を要件とする。
更には、前記組み立て式遊戯具と、水付着手段とからなる組み立て式遊戯具セットを要件とする。
【発明の効果】
【０００５】
本発明は、組み立て式遊戯具に変色部材を設けることによって、立体形状の遊戯具に文字や絵柄を描くことができるため、床に載置して使用する描画具では成しえない遊戯性を備え、永続して使用できると共に、幼児の創造性を育むことができる組み立て式遊戯具を提供できる。
また、再度別の形態に組み立てて使用することを促進できるため、組み立て式遊戯具の応用性を高めることもできる。
【発明を実施するための最良の形態】
【０００６】
前記変色部材の支持体上に形成される多孔質層は、低屈折率顔料をバインダー樹脂と共に分散状態に固着させた層である。
前記低屈折率顔料としては、微粒子状珪酸、バライト粉、沈降性硫酸バリウム、炭酸バリウム、沈降性炭酸カルシウム、石膏、クレー、タルク、アルミナホワイト、塩基性炭酸マグネシウム等が挙げられ、これらは屈折率が１．４〜１．７の範囲にあり、液状組成物を吸液すると良好な透明性を示すものである。
前記低屈折率顔料の粒径は特に限定されるものではないが、０．０３〜１０．０μｍのものが好適に用いられる。
又、前記低屈折率顔料は２種以上を併用することもできる。
尚、好適に用いられる低屈折率顔料としては微粒子状珪酸が挙げられる。
前記微粒子状珪酸は、乾式法によるものであってもよいが、湿式法により製造される微粒子状珪酸（以下、湿式法微粒子状珪酸と称する）が特に効果的であり、実用性を満たす。
この点を以下に説明する。
微粒子状珪酸は非晶質の無定形珪酸として製造され、その製造方法により、四塩化ケイ素等のハロゲン化ケイ素の熱分解等の気相反応を用いる乾式法によるもの（以下、乾式法微粒子状珪酸と称する）と、ケイ酸ナトリウム等の酸による分解等の液相反応を用いる湿式法によるものとに大別されるが、本発明の意図する多孔質層として機能させるためには、湿式法微粒子状珪酸が最適である。
これは、乾式法微粒子状珪酸と湿式法微粒子状珪酸とでは構造が異なり、前記乾式法微粒子状珪酸は珪酸が密に結合した三次元構造を形成するのに対して、湿式法微粒子状珪酸は、珪酸が縮合して長い分子配列を形成した、所謂、二次元構造部分を有している。
従って、前記乾式法微粒子状珪酸と比較して分子構造が粗になるため、湿式法微粒子状珪酸を多孔質層に適用した場合、乾式法微粒子状珪酸を用いる系と比較して乾燥状態における光の乱反射性に優れ、よって、常態での隠蔽性が大きくなるものと推察される。
又、前記本発明の多孔質層においては、水を吸液させるものであるから、湿式法微粒子状珪酸は乾式法微粒子状珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法微粒子状珪酸と共に、他の汎用の低屈折率顔料を併用することもできる。
【０００７】
前記多孔質層中の湿式法微粒子状珪酸は、粒子径、比表面積、吸油量等の性状に左右されるが、常態での隠蔽性と吸液状態での透明性を共に満足するためには、塗布量が１ｇ／ｍ2 〜３０ｇ／ｍ2 であることが好ましく、より好ましくは、５ｇ／ｍ2 〜２０ｇ／ｍ2 である。１ｇ／ｍ2 未満では、常態で十分な隠蔽性を得ることが困難であり、又、３０ｇ／ｍ2 を越えると吸液時に十分な透明性を得ることが困難である。
前記微粒子状珪酸の粒径は特に限定されるものではないが、０．０３〜１０．０μｍのものが好適に用いられる。
前記微粒子状珪酸はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記微粒子状珪酸とこれらのバインダー樹脂の混合比率は、微粒子状珪酸の種類及び性状に左右されるが、好ましくは、微粒子状珪酸１重量部に対してバインダー樹脂固形分０．５〜２重量部であり、より好ましくは、０．８〜１．５重量部である。微粒子状珪酸１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、従来より公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分重量比率で３０％以上含有させることが好ましい。前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤を添加して前記調整をコントロールすることができる。
【０００８】
なお、前記多孔質層中には、従来より公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料や顔料、蛍光染料や蛍光顔料を混在させて色変化を多様化させることができる。
又、温度変化により可逆的に色変化する、従来より公知の可逆熱変色顔料を混在させて、環境温度や付着させる水温により色変化させることができる。
更には、前記多孔質層の上層、下層、及び／又は近傍には着色層を配設して様相変化を更に多様化させることができる。
前記多孔質層及び着色層は、ベタ印刷状のものに限らず、文字、記号、図柄等の像であってもよい。
前記多孔質層及び着色層は、従来より公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装、等により適宜、形成できる。
【０００９】
前記支持体の材質は特に限定されるものではなく、プラスチック、ガラス、陶磁器、金属、木材、石材、合成紙、合成皮革、レザー、布帛を例示でき、好ましくは、プラスチック、布帛、合成皮革が用いられる。
なお、前記布帛としては織布、編布、不織布が挙げられる。
【００１０】
前記水変色部材の形状は、遊戯具に取り付けられる構造であれば特に限定されるものではなく、正方形、長方形、三角錘、四角錘、円錐、円柱等の多面体や球状体であってもよいが、好ましくは平面形状のものが用いられる。
更には、遊戯具に取り付けられるシーソー、すべり台、ブランコに多孔質層を設けて水変色部材とすることもできる。
【００１１】
前記のようにして得られる変色部材は、従来より公知の組み立て式遊戯具に取り付けて実用に供する。
前記組み立て式遊戯具は、複数の棒状部材をジョイント部材を介して連結可能とするものであって、パイプ形状のものが好適に用いられる。
前記棒状部材の材質としては、プラスチック製、金属製のパイプ、紙製のパイプ表面を合成樹脂で被覆したもの等が挙げられる。
前記棒状部材を連結するジョイント部材の形状は特に限定されず、２本のパイプを連結するジョイント部材、３本のパイプを連結するジョイント部材、４本のパイプを連結するジョイント部材、５本のパイプを連結するジョイント部材、６本のパイプを連結するジョイント部材を遊戯具の組み立て形状に合わせて適宜形状のものを使用する。
前記ジョイント部材の材質としては、プラスチック製、金属製等のものが挙げられる。なお、前記棒状部材やジョイント部材に前記多孔質層を設けることもできる。
【００１２】
前記遊戯具の組み立て形状としては、ジャングルジムのような立体形状、階段形状、平面（壁面）形状、机や椅子のような形状を挙げることができる。
【００１３】
前記遊戯具に変色部材を取り付ける方法としては、変色部材の支持体を棒状部材及び／又はジョイント部材に固定可能に構成する方法、変色部材の支持体を棒状部材とジョイント部材により形成される枠面に着脱自在に構成する方法、変色部材の支持体を棒状部材及び／又はジョイント部材と一体化させる方法が挙げられる。
前記変色部材の支持体を棒状部材及び／又はジョイント部材に固定可能に構成する方法について詳しく説明すると、支持体に設けた紐状体、リング部材、或いは、面ファスナー等の固定部材にて棒状部材及び／又はジョイント部材に固定する方法が挙げられる。
前記固定部材は、棒状部材やジョイント部材の一箇所に固定する構成であってもよいし、複数箇所を固定するものであってもよい。
前記変色部材の支持体を、棒状部材とジョイント部材により形成される枠面に着脱自在に構成する方法について詳しく説明すると、棒状部材とジョイント部材の連結により形成される四角形の枠面に、四辺形の支持体を嵌め込む構成が挙げられる。
前記支持体を嵌め込むための構造としては、支持体の各辺に棒状部材と嵌着する嵌着片を設け、前記嵌着片を四角形の枠面の外側又は内側に嵌着させて固定する方法があげられる。
前記変色部材の支持体を棒状部材及び／又はジョイント部材と一体化させる方法について詳しく説明すると、支持体の少なくとも一片に棒状部材が一体的に設けられている構成、支持体の少なくとも一部にジョイント部材が一体的に設けられている構成が挙げられる。
【００１４】
前記変色部材に水を付着させる方法としては、手や指を水で濡らして変色部材に接触させる方法、先端部に筆穂や繊維ペン体等を有する筆記又は塗布具、或いは、スポンジに水を含浸させて変色部材に接触させる方法、水を収容した容器を変色部材に近接又は接触させ、容器内から水を導出して付着させる方法、印面に連続気泡又は独立気泡を有する発泡体を固着したスタンプ具に水を含浸させて変色部材に付着させる方法、プラスチックやゴムの印面を粗面に形成したスタンプ具に水を付着させ、変色部材に接触させる方法が挙げられる。
尚、水を収容した容器を変色部材に近接又は接触させ、容器内から水を導出して付着させる方法としては、容器内に水を収容し、且つ、容器内の水を導出する繊維体や刷毛を設けて水を塗布する方法、容器内に水を収容し、且つ、噴霧装置を設けて、水をスプレーする方法、注射器のように容器内の水を押圧して、水を噴出させる方法等が挙げられる。
前記水を付着させる手段としては、筆記又は塗布具、スポンジ、スタンプ具、スプレー装置、注射器を例示でき、組み立て式遊戯具と組み合わせて組み立て式遊戯具セットが得られる。
なお、好ましい水付着手段としては、連続気孔を有するプラスチック多孔体又は繊維加工体をペン先部材として適用した筆記具又は塗布具、或いは、スタンプ具であり、任意の筆記像又は印像を簡便に形成でき、実用性を高めることができる。
前記における連続気孔を有するプラスチック多孔体又は繊維加工体は、水を適宜量、吸収し、吐出させるものであればよく、従来より汎用のポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
前記遊戯具には、水付着手段を収容可能に構成したり、表面に水付着手段の収容部を設けたり、表面に前記玩具と別体の水付着手段の収容体を着脱自在に設けることにより、遊戯具としての利便性に優れる。
更には、前記遊戯具にステンシルを組み合わせて所望の像を簡易に形成することもできる。
【実施例】
【００１５】
以下に実施例を示すが、本発明は実施例に限定されない。尚、実施例中の部は重量部を示す。
実施例１（図１乃至３参照）
支持体として目付け量１４０ｇ／ｍ2 の白色Ｔ／Ｃブロード生地（テトロン６５％、コットン３５％）上の全面に、ピンク色スクリーン印刷用インキを用いて、１８０メッシュのスクリーン版にてベタ印刷し、１００℃で３分間乾燥硬化させて着色層を設けた。
次いで、前記着色層上の全面に、湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して変色シートを得た。
前記変色シートは、乾燥状態では着色層は隠蔽状態にあり、全面が白色の多孔質層が視認されるが、水を付着させると多孔質層は吸液により白色不透明状態から無色透明状態に変化し、下層の着色層の色調が視認され、吸液状態ではその状態を維持しているが、水が蒸発乾燥することにより、元の白色状態へと変化する。
前記変色シートを、縦３０ｃｍ、横５０ｃｍに裁断、縫製した後、縦方向の各片をそれぞれリング状に縫製して変色部材２を得た。
同様に、前記変色シートを、縦３０ｃｍ、横８０ｃｍに裁断、縫製した後、縦方向の各片をそれぞれリング状に縫製して変色部材２を得た。
前記変色部材２と、棒状部材３と、ジョイント部材４により組み立て式遊戯具１を得た。
前記棒状部材３とジョイント部材４を連結する際、変色部材のリング状に縫製した部分に棒状部材３を通してジャングルジム形状の遊戯具を組み立てた（図１参照）
前記遊戯具は幼児が登ったり、ぶら下がったりして遊戯できると共に、軸筒内に水を収容し、且つ、繊維加工ペン体を設けたペンを用いて、乾燥状態で白色の変色部材２に文字を描くと、その部分の多孔質層が透明化して、ピンクの筆記像が視認され、遊戯性を高めることができた（図２参照）。
前記筆記像は、多孔質層が吸液状態では保持されており、乾燥すると元の白色に復して不可視状態となり、この現象は何度も繰り返し行うことができた。
また、前記組み立て式遊戯具を壁面形状に組み立て、絵描き板のように使用することもできる（図３参照）。
【００１６】
実施例２（図４参照）
実施例１で得た変色部材２と、棒状部材３と、ジョイント部材４と、水付着手段５として軸筒内に水を収容可能に構成したペンを組み合わせて組み立て式遊戯具セット６を得た。
前記組み立て式遊戯具セットは、実施例１と同様に高い遊戯性を備えると共に、利便性に優れていた。
【００１７】
実施例３
支持体として目付け量２００ｇ／ｍ2 の白色オックス生地（綿１００％）上の全面に、青色顔料５部、アクリル酸エステルエマルジョン５０部、水性インキ増粘剤３部、レベリング剤０．５部、エポキシ系架橋剤５部を均一に混合攪拌してなる青色スクリーン印刷用インキを用いて、１８０メッシュのスクリーン版にてベタ印刷し、１００℃で３分間乾燥硬化させて着色層を設けた。
次いで、前記着色層上に湿式法微粉末シリカ〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水５０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して水の吸液により白色から青色に変化する変色シートを得た。
前記変色シートは、乾燥状態では着色層は隠蔽状態にあり、全面が白色の多孔質層が視認されるが、水を付着させると多孔質層は吸液により白色不透明状態から無色透明状態に変化し、下層の着色層の色調が視認され、吸液状態ではその状態を維持しているが、水が蒸発乾燥することにより、元の白色状態へと変化する。
前記変色シートを、縦３０ｃｍ、横３０ｃｍに裁断、縫製し、四隅に紐状体を取り付けて変色部材を得た。
前記棒状部材とジョイント部材を連結してジャングルジム形状の遊戯具を組み立てた後、前記変色部材の紐状体を棒状部材に結び付けた。
前記遊戯具は幼児が登ったり、ぶら下がったりして遊戯できると共に、軸筒内に水を収容し、且つ、繊維加工ペン体を設けたペンを用いて、乾燥状態で白色の変色部材に文字を描くと、その部分の多孔質層が透明化して、青色の筆記像が視認され、遊戯性を高めることができた。
前記筆記像は、多孔質層が吸液状態では保持されており、乾燥すると元の白色に復して不可視状態となり、この現象は何度も繰り返し行うことができた。
また、前記組み立て式遊戯具を壁面形状に組み立てて絵描き板のようにして使用することもできる。
【００１８】
実施例４
実施例３で得た変色部材と、棒状部材と、ジョイント部材と、軸筒内に水を収容可能に構成したペンを組み合わせて組み立て式遊戯具セットを得た。
前記組み立て式遊戯具セットは、実施例３と同様に高い遊戯性を備えると共に、利便性に優れていた。
【００１９】
実施例５
支持体として正方形（３０ｃｍ×３０ｃｍ）の黄色プラスチック製板状体の表面に、湿式法微粉末シリカ〔商品名：ニップシールＥ−２００、日本シリカ工業（株）製〕１５部、ウレタンエマルジョン〔商品名：ハイドランＡＰ−１０、大日本インキ化学工業（株）製、固形分５０％〕４５部、水４０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して変色部材を得た。
なお、前記変色部材の裏面には、各片の中央部に棒状部材と嵌着する嵌着片を設けてなる。
前記変色部材は、乾燥状態では白色の多孔質層が視認されるが、水を付着させると多孔質層は吸液により白色不透明状態から無色透明状態に変化し、下層の支持体の色調が視認され、吸液状態ではその状態を維持しているが、水が蒸発乾燥することにより、元の白色状態へと変化する。
前記変色部材と、棒状部材と、ジョイント部材により組み立て式遊戯具を得た。
前記棒状部材とジョイント部材を連結してジャングルジム形状の遊戯具を組み立てた後、前記変色部材を棒状部材とジョイント部材から構成される枠面に嵌め込んだ。
前記遊戯具は幼児が登ったり、ぶら下がったりして遊戯できると共に、軸筒内に水を収容し、且つ、繊維加工ペン体を設けたペンを用いて、乾燥状態で白色の変色部材に文字を描くと、その部分の多孔質層が透明化して、黄色の筆記像が視認され、遊戯性を高めることができた。
前記筆記像は、多孔質層が吸液状態では保持されており、乾燥すると元の白色に復して不可視状態となり、この現象は何度も繰り返し行うことができた。
また、前記組み立て式遊戯具を机形状に組み立てて使用することもできる。
【００２０】
実施例６
実施例５で得た変色部材と、棒状部材と、ジョイント部材と、軸筒内に水を収容可能に構成したペンを組み合わせて組み立て式遊戯具セットを得た。
前記組み立て式遊戯具セットは、実施例５と同様に高い遊戯性を備えると共に、利便性に優れていた。
【００２１】
実施例７
支持体として正方形（３０ｃｍ×３０ｃｍ）の赤色プラスチック製板状体の表面に、湿式法微粉末シリカ〔商品名：ニップシールＥ−２００、日本シリカ工業（株）製〕１５部、ウレタンエマルジョン〔商品名：ハイドランＡＰ−１０、大日本インキ化学工業（株）製、固形分５０％〕４５部、水４０部、シリコーン系消泡剤０．５部、水系インキ用増粘剤３部、エチレングリコール１部、ブロックイソシアネート系架橋剤３部を均一に混合、攪拌してなる白色スクリーン印刷用インキを用いて、１００メッシュのスクリーン版にてベタ印刷し、１３０℃で５分間乾燥硬化させて多孔質層を形成して変色部材を得た。
なお、前記変色部材の一対の側面には、棒状部材を一体的に設けてなる。
前記変色部材は、乾燥状態では白色の多孔質層が視認されるが、水を付着させると多孔質層は吸液により白色不透明状態から無色透明状態に変化し、下層の支持体の色調が視認され、吸液状態ではその状態を維持しているが、水が蒸発乾燥することにより、元の白色状態へと変化する。
前記変色部材と、棒状部材と、ジョイント部材により組み立て式遊戯具を得た。
前記変色部材と、棒状部材とジョイント部材を連結してジャングルジム形状の遊戯具を組み立てた。
前記遊戯具は幼児が登ったり、ぶら下がったりして遊戯できると共に、軸筒内に水を収容し、且つ、繊維加工ペン体を設けたペンを用いて、乾燥状態で白色の変色部材に文字を描くと、その部分の多孔質層が透明化して、赤色の筆記像が視認され、遊戯性を高めることができた。
前記筆記像は、多孔質層が吸液状態では保持されており、乾燥すると元の白色に復して不可視状態となり、この現象は何度も繰り返し行うことができた。
【００２２】
実施例８
実施例７で得た変色部材と、棒状部材と、ジョイント部材と、軸筒内に水を収容可能に構成したペンを組み合わせて組み立て式遊戯具セットを得た。
前記組み立て式遊戯具セットは、実施例７と同様に高い遊戯性を備えると共に、利便性に優れていた。
【００２３】
実施例９
合成紙（厚さ８０μｍ）の片面に粘着層と剥離紙を設けたラベルの非粘着層側に、青色スクリーン印刷用インキを用いて、１２０メッシュのスクリーン版にてベタ印刷をし、７０℃で３０分間乾燥硬化させて着色層を設けた。
次いで、前記着色層上に、湿式法微粒子シリカ〔商品名：ニップシールＥ−２２０、日本シリカ工業（株）社製〕１５部、ウレタンエマルジョン〔商品名：ハイドランＡＰ−１０、大日本インキ化学工業（株）社製、固形分３０％〕４５部、水４０部、シリコーン系消泡剤０．５部、水系インキ用増粘剤３部、エチレングリコール１部、ブロックイソシアネート系架橋剤３部を均一に混合攪拌してなる白色スクリーン印刷用インキを用いて、１００メッシュのスクリーン版にて、全面ベタ印刷し、６０℃で３０分間乾燥硬化させて多孔質層を形成した後、トムソンにより直径２０ｃｍの円形に断裁し、変色シールを得た。前記と同様の方法により、ピンク色スクリーン印刷用インキを用いて着色層を形成し、更にその上面に前記白色スクリーン印刷用インキを用いて多孔質層を形成した後、直径２０ｃｍの円形に断裁して変色シールを得た。
前記変色シールは、乾燥状態では着色層は隠蔽状態にあり、全面が白色の多孔質層が視認されるが、水を付着させると多孔質層は吸液により白色不透明状態から無色透明状態に変化し、下層の着色層の色調が視認され、吸液状態ではその状態を維持しているが、水が蒸発乾燥することにより、元の白色状態へと変化する。
すべり台に前記水変色性シールを貼着して変色部材を得た。
前記変色部材と、棒状部材と、ジョイント部材により組み立て式遊戯具を得た。
前記棒状部材とジョイント部材を連結してジャングルジム形状の遊戯具を組み立てた後、前記変色部材をジャングルジムに固定した。
前記遊戯具は幼児が登ったり、ぶら下がったりして遊戯できると共に、印面に水を含浸させたスタンプを用いて、乾燥状態で白色の変色部材に設けたシールに捺印すると、その部分の多孔質層が透明化して、青色とピンク色の印像が視認され、遊戯性を高めることができた。
前記印像は、多孔質層が吸液状態では保持されており、乾燥すると元の白色に復して不可視状態となり、この現象は何度も繰り返し行うことができた。
【００２４】
実施例１０
実施例９で得た変色部材と、棒状部材と、ジョイント部材と、スタンプを組み合わせて組み立て式遊戯具セットを得た。
前記組み立て式遊戯具セットは、実施例９と同様に高い遊戯性を備えると共に、利便性に優れていた。
【図面の簡単な説明】
【００２５】
【図１】本発明の組み立て式遊戯具のジャグルジム形態を示す斜視図である。
【図２】図１の組み立て式遊戯具に筆記像を形成した状態を示す斜視図である。
【図３】本発明の組み立て式遊戯具の壁面形態を示す斜視図である。
【図４】本発明の組み立て式遊戯具セットを示す斜視図である。
【符号の説明】
【００２６】
１  組み立て式遊戯具
２  変色部材
３  棒状部材
４  ジョイント部材
５  水付着手段
６  組み立て式遊戯具セット
【図１】
2005152491.tif 000003
【図２】
2005152491.tif 000004
【図３】
2005152491.tif 000005
【図４】
2005152491.tif 000006